(57)【要約】【課題】電解水を利用して小便器を清掃する電解水小便器を提供する。【解決手段】本発明は電解水小便器を開示する。上記電解水小便器は、電解手段と、小便器本体とを備え、上記電解手段は、酸性電解水と、アルカリ性電解水とを生成するものであり、該酸性電解水を排出する第１の出水口と、該アルカリ性電解水を排出する第２の出水口とを有し、上記小便器本体は、該小便器本体の上部に設けられたボウル給水口を有し、上記電解手段の第１の出水口と、第２の出水口とは、それぞれ上記小便器本体のボウル給水口に接続され、上記電解手段により生成された酸性電解水と、アルカリ性電解水とは、前後して交互に又は同時に上記ボウル給水口を通じて上記小便器本体の内壁に噴射される。本発明の有益な効果としては、上記電解水小便器により、酸性電解水とアルカリ性電解水とが接して中和反応が生じ殺菌消毒及び尿石除去の機能が失われることを回避することができる。【選択図】図１
2018096195.tif 000002
【特許請求の範囲】
【請求項１】
電解手段と、小便器本体とを備え、
前記電解手段は、酸性電解水と、アルカリ性電解水とを生成するものであり、第１の出水口と、第２の出水口とを有し、該第１の出水口及び該第２の出水口のうち一方は、酸性電解水を排出するのに用いられ、他方は、アルカリ性電解水を排出するのに用いられ、
前記小便器本体は、該小便器本体の上部に設けられたボウル給水口を有し、
前記電解手段の第１の出水口と、第２の出水口とは、それぞれ前記小便器本体のボウル給水口に接続され、
前記電解手段により生成された酸性電解水と、アルカリ性電解水とは、前後して交互に又は別個に前記ボウル給水口を通じて前記小便器本体の内壁に噴射されて上から下まで洗浄を行うことを特徴とする、電解水小便器。
【請求項２】
貯水手段と、第１の制御弁と、第２の制御弁と、導管とを更に備え、
前記貯水手段は、互いに離間した第１の貯留タンクと、第２の貯留タンクとを有し、
前記第１の貯留タンクの入水口は、前記導管を通じて前記電解手段の第１の出水口に接続され、該第１の貯留タンクの出水口と、前記第１の制御弁と、前記小便器本体のボウル給水口とは、該導管を通じてこの順に接続され、
前記第２の貯留タンクの入水口は、前記導管を通じて前記電解手段の第２の出水口に接続され、該第２の貯留タンクの出水口と、前記第２の制御弁と、前記小便器本体のボウル給水口とは、該導管を通じてこの順に接続され、
洗浄する場合には、前記酸性電解水と、前記アルカリ性電解水とは、交互に前記ボウル給水口を通じて前記小便器本体の内壁に噴射されて上から下まで洗浄を行うことを特徴とする、請求項１に記載の電解水小便器。
【請求項３】
第１の貯水手段と、第２の貯水手段と、第１の制御弁と、第２の制御弁と、導管とを更に備え、
前記第１の貯水手段の入水口は、前記導管を通じて前記電解手段の第１の出水口に接続され、該第１の貯水手段の第１の出水口と、前記第１の制御弁と、前記小便器本体のボウル給水口とは、該導管を通じてこの順に接続され、
前記第２の貯水手段の入水口は、前記導管を通じて前記電解手段の第２の出水口に接続され、該第２の貯水手段の第２の出水口と、前記第２の制御弁と、前記小便器本体のボウル給水口とは、該導管を通じてこの順に接続され、
洗浄する場合には、前記酸性電解水と、前記アルカリ性電解水とは、交互に前記ボウル給水口を通じて前記小便器本体の内壁に噴射されることを特徴とする、請求項１に記載の電解水小便器。
【請求項４】
前記第１の貯水手段と、前記第２の貯水手段とはいずれも、給排水口が設けられた貯水タンク本体と、ばねと、押し板とを有しており、該ばねと、該押し板とはいずれも、該貯水タンク本体内に設けられ、該ばねは、該押し板と該貯水タンク本体の内壁との間に固定されると共に、該給排水口とは離反して設けられ、
前記第２の貯水手段又は前記第１の貯水手段が給水される場合には、前記アルカリ性電解水又は前記酸性電解水は、前記貯水タンク本体に入ると共に前記押し板を押し動かして前記ばねを圧縮させて貯水を実施し、
前記第２の貯水手段又は前記第１の貯水手段が排水する場合には、圧縮された前記ばねは、前記押し板を押し動かして移動させ、該押し板は、前記貯水タンク本体のアルカリ性電解水又は酸性電解水を加圧条件下で排出して排水を実施することを特徴とする、請求項３に記載の電解水小便器。
【請求項５】
貯水手段と、１つの制御弁と、導管とを更に備え、
前記貯水手段は、該貯水手段の上部にそれぞれ設けられた貯水入口と、貯水出口とを有し、
前記貯水入口は、前記導管を通じて前記電解手段の第２の出水口に接続され、
前記貯水出口と、前記電解手段の第１の出水口とは、並列に接続して設けられており、共に前記導管を通じて前記制御弁と、前記小便器本体のボウル給水口とにこの順に接続されていることを特徴とする、請求項１に記載の電解水小便器。
【請求項６】
前記貯水手段には、少なくとも１つの仕切板が設けられており、少なくとも１つの該仕切板は、該貯水手段の内部の貯水空間を仕切って、互いに連通した蛇行通路を形成していることを特徴とする、請求項５に記載の電解水小便器。
【請求項７】
前記酸性電解水又は前記アルカリ性電解水は、前記貯水手段に入る場合には、前記貯水入口に水平に入ると共に、水平に設けられた前記蛇行通路内を下から上へ前記貯水出口まで徐々に流動することによって、該貯水手段の蛇行通路の空気を排出することを特徴とする、請求項６に記載の電解水小便器。
【請求項８】
前記酸性電解水は、そのまま前記小便器本体の内壁を上から下まで洗浄し、前記アルカリ性電解水は、前記貯水手段に貯留され、該アルカリ性電解水が一定量貯留されると、前記電解手段は、電解操作を停止すると共に、該貯水手段の貯水入口を通じて中性の洗浄水が引き込まれ、該洗浄水は、該貯水手段に入り、該貯水手段のアルカリ性電解水を押して該小便器本体に入れて、該小便器本体の内壁を上から下まで洗浄し、該アルカリ性電解水の排出が終わると、該洗浄水は、該小便器本体に入って、該小便器本体の内壁を上から下まで洗浄するか、又は、
前記アルカリ性電解水は、そのまま前記小便器本体の内壁を上から下まで洗浄し、前記酸性電解水は、前記貯水手段に貯留され、該酸性電解水が一定量貯留されると、前記電解手段は、電解操作を停止すると共に、該貯水手段の貯水入口を通じて中性の洗浄水が引き込まれ、該洗浄水は、該貯水手段に入り、該貯水手段の酸性電解水を押して該小便器本体に入れて、該小便器本体の内壁を上から下まで洗浄し、該酸性電解水の排出が終わると、該洗浄水は、該小便器本体に入って、該小便器本体の内壁を上から下まで洗浄することを特徴とする、請求項５に記載の電解水小便器。
【請求項９】
電解水制御手段と、ノズルとを更に備え、
前記電解水制御手段は、前記電解手段の電極の切換えを制御し、
前記ノズルは、前記小便器本体のボウル給水口に設けられており、仕切板が中央に設けられた第１の吐出口と、第２の吐出口とを有し、該第１の吐出口と、該第２の吐出口とは、該仕切板を介して隣接して設けられ、
前記第１の吐出口は、前記電解手段の第１の出水口に直接接続され、前記第２の吐出口は、前記電解手段の第２の出水口に直接接続されていることを特徴とする、請求項１に記載の電解水小便器。
【請求項１０】
前記酸性電解水と、前記アルカリ性電解水とは、前記ノズルの前記第１の吐出口と、前記第２の吐出口とから前記小便器本体の両側の内壁へそれぞれ同時に吐出されるか、又は、該酸性電解水と、該アルカリ性電解水とは、該ノズルの前記第２の吐出口と、前記第１の吐出口とから該小便器本体の両側の内壁へそれぞれ同時に吐出されることを特徴とする、請求項７に記載の電解水小便器。
【請求項１１】
電解水制御手段を更に備え、
前記電解水制御手段は、前記電解手段の電極の切換えを制御し、
前記電解水制御手段が前記電解手段を制御して電極の切換えを行うと、該電解手段では、前記第１の出水口は、前記アルカリ性電解水の排出に用いられ、前記第２の出水口は、前記酸性電解水の排出に用いられることを特徴とする、請求項１に記載の電解水小便器。
【請求項１２】
前記電解手段を用いて酸性電解水とアルカリ性電解水とを電解生成する場合には、まず該電解手段内に通水してから該電解手段を通電して起動する必要があることを特徴とする、請求項１に記載の電解水小便器。
【発明の詳細な説明】
【技術分野】
【０００１】
本発明は、小便器に関し、具体的には、電解水小便器に関する。
【背景技術】
【０００２】
従来の小便器は、一般的に、水道水等の中性水で小便器本体の壁面を洗い流すことによって洗浄を行っている。しかし、小便器の尿石の主成分は炭酸カルシウム、炭酸マグネシウム、硫酸カルシウム及び硫酸マグネシウム等であり、水道水等の中性水で小便器を洗浄しても、通常は殺菌、消毒、消臭及び尿石除去等の作用を起こすことは難しいので、洗浄剤を用いて定期的に人の手で小便器を念入りに洗浄する必要がある。これは、清掃作業の労働コストが高くなるのみならず、生活及び環境の質の向上に対する人々の要求を満たすことも難しくなる。
【０００３】
例えば、特許文献１には、便器本体と、当該便器本体の近傍に設けられた密閉されたハウジングとを備え、上記ハウジングには、電動水弁と、当該電動水弁の配管に連結された電解槽と、当該電解槽の配管に連結された霧化ノズルと、水道水が電解槽を流動し霧化ノズルを通じて吐出されるように駆動する駆動回路と、駆動回路に接続された電源と、上記霧化ノズルの入水パイプに設けられた高圧電源とが設けられており、上記霧化ノズルは、便器本体における衛生器具の吐水部まで延び、上記密封ハウジングの上部には、電源のスイッチと、機能ボタンとが設けられた、電解噴霧消毒機能付き洋風便器が開示されている。
【０００４】
上記洋風便器には洋風便器の洗浄用に水道水を電解処理する電解槽が用いられている。しかし、上記洋風便器の出水端では、上記電解槽により生成された酸性水とアルカリ性水とが混ざって噴霧され、酸性水とアルカリ性水とが互いに接して中和反応が生じて、殺菌消毒機能が失われてしまっている。
【先行技術文献】
【特許文献】
【０００５】
【特許文献１】中国実用新案第２０１１２０１２４０８７号明細書
【発明の概要】
【発明が解決しようとする課題】
【０００６】
本発明は、従来の課題を解決し、電解水を利用して小便器を清掃する電解水小便器を提供することを目的とする。
【課題を解決するための手段】
【０００７】
上述した目的を実現するため、本発明は実施の形態として、電解手段と、小便器本体とを備え、前記電解手段は、酸性電解水と、アルカリ性電解水とを生成するものであり、第１の出水口と、第２の出水口とを有し、該第１の出水口及び該第２の出水口のうち一方は、酸性電解水を排出するのに用いられ、他方は、アルカリ性電解水を排出するのに用いられ、前記小便器本体は、該小便器本体の上部に設けられたボウル給水口を有し、前記電解手段の第１の出水口と、第２の出水口とは、それぞれ前記小便器本体のボウル給水口に接続され、前記電解手段により生成された酸性電解水と、アルカリ性電解水とは、前後して交互に又は別個に前記ボウル給水口を通じて前記小便器本体の内壁に噴射されて上から下まで洗浄を行う、電解水小便器を採用している。
【０００８】
貯水手段と、第１の制御弁と、第２の制御弁と、導管とを更に備え、前記貯水手段は、互いに離間した第１の貯留タンクと、第２の貯留タンクとを有し、前記第１の貯留タンクの入水口は、前記導管を通じて前記電解手段の第１の出水口に接続され、該第１の貯留タンクの出水口と、前記第１の制御弁と、前記小便器本体のボウル給水口とは、該導管を通じてこの順に接続され、前記第２の貯留タンクの入水口は、前記導管を通じて前記電解手段の第２の出水口に接続され、該第２の貯留タンクの出水口と、前記第２の制御弁と、前記小便器本体のボウル給水口とは、該導管を通じてこの順に接続され、洗浄する場合には、前記酸性電解水と、前記アルカリ性電解水とは、交互に前記ボウル給水口を通じて前記小便器本体の内壁に噴射されて上から下まで洗浄を行うようになっていることが好ましい。
【０００９】
第１の貯水手段と、第２の貯水手段と、第１の制御弁と、第２の制御弁と、導管とを更に備え、前記第１の貯水手段の入水口は、前記導管を通じて前記電解手段の第１の出水口に接続され、該第１の貯水手段の第１の出水口と、前記第１の制御弁と、前記小便器本体のボウル給水口とは、該導管を通じてこの順に接続され、前記第２の貯水手段の入水口は、前記導管を通じて前記電解手段の第２の出水口に接続され、該第２の貯水手段の第２の出水口と、前記第２の制御弁と、前記小便器本体のボウル給水口とは、該導管を通じてこの順に接続され、洗浄する場合には、前記酸性電解水と、前記アルカリ性電解水とは、交互に前記ボウル給水口を通じて前記小便器本体の内壁に噴射されるようになっていることが好ましい。
【００１０】
前記第１の貯水手段と、前記第２の貯水手段とはいずれも、給排水口が設けられた貯水タンク本体と、ばねと、押し板とを有しており、該ばねと、該押し板とはいずれも、該貯水タンク本体内に設けられ、該ばねは、該押し板と該貯水タンク本体の内壁との間に固定されると共に、該給排水口とは離反して設けられ、前記第２の貯水手段又は前記第１の貯水手段が給水される場合には、前記アルカリ性電解水又は前記酸性電解水は、前記貯水タンク本体に入ると共に前記押し板を押し動かして前記ばねを圧縮させて貯水を実施し、前記第２の貯水手段又は前記第１の貯水手段が排水する場合には、圧縮された前記ばねは、前記押し板を押し動かして移動させ、該押し板は、前記貯水タンク本体のアルカリ性電解水又は酸性電解水を加圧条件下で排出して排水を実施するようになっていることが好ましい。
【００１１】
貯水手段と、１つの制御弁と、導管とを更に備え、前記貯水手段は、該貯水手段の上部にそれぞれ設けられた貯水入口と、貯水出口とを有し、前記貯水入口は、前記導管を通じて前記電解手段の第２の出水口に接続され、前記貯水出口と、前記電解手段の第１の出水口とは、並列に接続して設けられており、共に前記導管を通じて前記制御弁と、前記小便器本体のボウル給水口とにこの順に接続されているようになっていることが好ましい。
【００１２】
前記貯水手段には、少なくとも１つの仕切板が設けられており、少なくとも１つの該仕切板は、該貯水手段の内部の貯水空間を仕切って、互いに連通した蛇行通路を形成しているようになっていることが好ましい。
【００１３】
前記酸性電解水又は前記アルカリ性電解水は、前記貯水手段に入る場合には、前記貯水入口に水平に入ると共に、水平に設けられた前記蛇行通路内を下から上へ前記貯水出口まで徐々に流動することによって、該貯水手段の蛇行通路の空気を排出するようになっていることが好ましい。
【００１４】
前記酸性電解水は、そのまま前記小便器本体の内壁を上から下まで洗浄し、前記アルカリ性電解水は、前記貯水手段に貯留され、該アルカリ性電解水が一定量貯留されると、前記電解手段は、電解操作を停止すると共に、該貯水手段の貯水入口を通じて中性の洗浄水が引き込まれ、該洗浄水は、該貯水手段に入り、該貯水手段のアルカリ性電解水を押して該小便器本体に入れて、該小便器本体の内壁を上から下まで洗浄し、該アルカリ性電解水の排出が終わると、該洗浄水は、該小便器本体に入って、該小便器本体の内壁を上から下まで洗浄するか、又は、前記アルカリ性電解水は、そのまま前記小便器本体の内壁を上から下まで洗浄し、前記酸性電解水は、前記貯水手段に貯留され、該酸性電解水が一定量貯留されると、前記電解手段は、電解操作を停止すると共に、該貯水手段の貯水入口を通じて中性の洗浄水が引き込まれ、該洗浄水は、該貯水手段に入り、該貯水手段の酸性電解水を押して該小便器本体に入れて、該小便器本体の内壁を上から下まで洗浄し、該酸性電解水の排出が終わると、該洗浄水は、該小便器本体に入って、該小便器本体の内壁を上から下まで洗浄するようになっていることが好ましい。
【００１５】
電解水制御手段と、ノズルとを更に備え、前記電解水制御手段は、前記電解手段の電極の切換えを制御し、前記ノズルは、前記小便器本体のボウル給水口に設けられており、仕切板が中央に設けられた第１の吐出口と、第２の吐出口とを有し、該第１の吐出口と、該第２の吐出口とは、該仕切板を介して隣接して設けられ、前記第１の吐出口は、前記電解手段の第１の出水口に直接接続され、前記第２の吐出口は、前記電解手段の第２の出水口に直接接続されているようになっていることが好ましい。
【００１６】
前記酸性電解水と、前記アルカリ性電解水とは、前記ノズルの前記第１の吐出口と、前記第２の吐出口とから前記小便器本体の両側の内壁へそれぞれ同時に吐出されるか、又は、該酸性電解水と、該アルカリ性電解水とは、該ノズルの前記第２の吐出口と、前記第１の吐出口とから該小便器本体の両側の内壁へそれぞれ同時に吐出されるようになっていることが好ましい。
【００１７】
電解水制御手段を更に備え、前記電解水制御手段は、前記電解手段の電極の切換えを制御し、前記電解水制御手段が前記電解手段を制御して電極の切換えを行うと、該電解手段では、前記第１の出水口は、前記アルカリ性電解水の排出に用いられ、前記第２の出水口は、前記酸性電解水の排出に用いられるようになっていることが好ましい。
【００１８】
前記電解手段を用いて酸性電解水とアルカリ性電解水とを電解生成する場合には、まず該電解手段内に通水してから該電解手段を通電して起動する必要があることが好ましい。
【発明の効果】
【００１９】
従来技術に対し、本発明に開示の実施の形態の有益な効果は以下の通りである。
【００２０】
１、電解水小便器によれば、電解手段により生成された酸性電解水とアルカリ性電解水がそれぞれ別個に小便器本体を洗浄すると共に、小便器本体の底部で合流し、中和反応が生じて中性水が生成されており、洗浄プロセスでは、上記酸性電解水は尿石と直接化学反応を起こすことができ、しかも、その殺菌消毒機能が維持され、それによって、上記電解水小便器の殺菌、消毒、消臭及び尿石除去の機能を向上させることができる。
【００２１】
２、電解水小便器によれば、上記酸性電解水と上記アルカリ性電解水とが交互に上記小便器本体を洗浄すると共に、上記小便器本体の底部で中和反応が生じて中性水となることによって、上記酸性電解水と上記アルカリ性電解水とが同時に吐水された場合に両者が接して中和反応が生じ殺菌消毒機能が失われることを回避しており、それによって、上記電解水小便器の殺菌、消毒、消臭及び尿石除去の機能を向上させている。
【００２２】
３、電解水小便器によれば、上記第２の貯水手段及び上記第１の貯水手段の内部のいずれにもばねが設けられており、ばねの伸縮によって圧力蓄積機能及び貯水機能が果たされている。また、上記酸性電解水と上記アルカリ性電解水とを加圧条件下で排出させて、上記小便器本体の内壁に適切な速度で噴射するタイプの洗浄水流を形成することもでき、洗い流す効果が良くなるだけでなく、節水機能もある。また、上記酸性電解水と上記アルカリ性電解水とが交互に上記小便器本体を洗浄しており、上記酸性電解水と上記アルカリ性電解水とが同時に吐水された場合に両者が接して中和反応が生じ殺菌消毒機能が失われることを回避することもでき、それによって、上記電解水小便器の殺菌、消毒、消臭及び尿石除去の機能を向上させている。
【００２３】
４、電解水小便器によれば、上記酸性電解水と上記アルカリ性電解水とは上記ノズルの第１の吐出口と第２の吐出口とを通じてそれぞれ上記小便器本体の両側の内壁を洗浄しており、上記酸性電解水と上記アルカリ性電解水とが接して中和反応が生じ殺菌消毒機能が失われることを回避することもでき、それによって、上記電解水小便器の殺菌、消毒、消臭及び尿石除去の機能を向上させている。さらに、上記電解水制御手段が上記電解手段を制御して陰極と陽極との切換えを行うことによって、上記酸性電解水と上記アルカリ性電解水との交換洗浄操作を実施しており、上記電解槽の電極の耐用期間を向上させることができるだけでなく、小便器をより良く洗浄することもできる。
【００２４】
５、電解水小便器によれば、上記電解水小便器の洗浄プロセスには、別個に且つこの順に行われる酸洗浄工程と、アルカリ洗浄工程と、中性水洗浄工程とが含まれている。したがって、上記酸性電解水と上記アルカリ性電解水とが交互に上記小便器本体を洗浄すると共に、上記小便器本体の底部で中和反応が生じて中性水となることによって、上記酸性電解水と上記アルカリ性電解水とが同時に吐水された場合に両者が接して中和反応が生じ殺菌消毒機能が失われることを回避しており、それによって、上記電解水小便器の殺菌、消毒、消臭及び尿石除去の機能を向上させている。
【００２５】
図面の説明
ここで説明される図面は本発明の更なる理解に用いられるものであり、本発明の一部を構成する。本発明の概略的な実施形態及びその説明は本発明の解釈に用いられるものであり、本発明を不適切に限定するものではない。
【図面の簡単な説明】
【００２６】
【図１】本発明の実施形態１に係る電解水小便器の構造を示す模式図である。
【図２】図１の電解水小便器の組立構造を示す模式図である。
【図３】本発明の実施形態２に係る電解水小便器の構造を示す模式図である。
【図４】図３の電解水小便器の貯水手段の構造を示す模式図である。
【図５】図３の電解水小便器の第２の貯水手段及び第１の貯水手段の給水を示す模式図である。
【図６】図３の電解水小便器の第１の貯水手段の排水を示す模式図である。
【図７】図３の電解水小便器の第２の貯水手段の排水を示す模式図である。
【図８】本発明の実施形態３に係る電解水小便器の構造を示す模式図である。
【図９】図８の電解水小便器の組立構造を示す模式図である。
【図１０】図８の電解水小便器のノズルの構造を示す模式図である。
【図１１】図１０のノズルの分流扇状部、第１の吐出口及び第２の吐出口の構造を示す模式図である。
【図１２】本発明の実施形態４に係る電解水小便器の構造を示す模式図である。
【発明を実施するための形態】
【００２７】
本発明が解決しようとする技術的課題、実施の形態及び有益な効果をより明確にするために、以下、図面及び実施形態を参照して、本発明を更に詳細に説明する。ここで示される具体的な実施形態は本発明の解釈にのみ用いられ、本発明を限定するものではないことが理解されよう。
【００２８】
実施形態１
図１及び図２に示すように、図１は本発明の実施形態に係る電解水小便器の構造を示す模式図であり、図２は図１の電解水小便器の組立構造を示す模式図である。上記電解水小便器１００は、小便器本体１１０と、電解手段１２０と、貯水手段１３０と、第１の制御弁１４０と、第２の制御弁１５０と、導管１６０とを備えている。上記第１の制御弁１４０と上記第２の制御弁１５０とは電磁弁であることが好ましい。任意選択により、上記導管１６０はプラスチック導管であってもよく、金属製の導管であってもよく、本発明はこれに限定されるものではない。
【００２９】
上記小便器本体１１０は、上記小便器本体の上部に設けられたボウル給水口１１１を有している。さらに、上記小便器本体１１０には上記ボウル給水口１１１に接続する複数の吐水穴１１２が更に設けられており、上記複数の吐水穴１１２は上記小便器本体１１０の上部内側に規則的且つ均一に配置されている。
【００３０】
上記電解手段１２０は、酸性電解水と、アルカリ性電解水とを生成するものであり、上記酸性電解水を排出する第１の出水口１２１と、上記アルカリ性電解水を排出する第２の出水口１２２とを有している。
【００３１】
上記貯水手段１３０は貯水タンクであり、上記小便器本体１１０の上部に設けられている。上記貯水手段１３０は、互いに離間した第１の貯留タンク１３１と、第２の貯留タンク１３２とを有している。なお、上記第１の貯留タンク１３１の入水口は上記導管１６０を通じて上記電解手段１２０の第１の出水口１２１に接続され、上記第１の貯留タンク１３１の出水口と、上記第１の制御弁１４０と、上記小便器本体１１０のボウル給水口１１１とは上記導管１６０を通じてこの順に接続されている。
【００３２】
上記第２の貯留タンク１３２の入水口は上記導管１６０を通じて上記電解手段１２０の第２の出水口１２２に接続され、上記第２の貯留タンク１３２の出水口と、上記第２の制御弁１５０と、上記小便器本体１１０のボウル給水口１１１とは上記導管１６０を通じてこの順に接続されている。
【００３３】
本実施形態では、上記電解手段１２０は、同量の酸性電解水と、アルカリ性電解水とを生成して、上記酸性電解水と、上記アルカリ性電解水とを上記貯水手段１３０の第１の貯留タンク１３１と、第２の貯留タンク１３２とにそれぞれ貯留することができる。
【００３４】
また、上記電解手段１２０の第１の出水口１２１と、第２の出水口１２２とがそれぞれ上記貯水手段１３０を介して上記小便器本体１１０のボウル給水口１１１に接続されていることによって、上記酸性電解水と、上記アルカリ性電解水とが最終的に上記小便器本体１１０内に流入するようになっている。
【００３５】
上記電解水小便器１００が使用者に正常に使用された際に、上記電解水小便器１００の電解手段１２０は、起動はせず、上記電解水小便器１００に対して通常の水道水で中性水洗浄を行う。
【００３６】
上記電解水小便器１００が使用者に使用されていない場合に、上記電解水小便器１００は上記電解手段１２０を自動的に起動し酸性電解水とアルカリ性電解水とを生成して、上記電解水小便器１００に対して電解水洗浄を行う。さらに、上記電解水小便器１００は、設定時間毎に電解水洗浄の操作を１回行うように選択されており、例えば、上記電解水小便器１００は、６時間、１２時間、２４時間等の時間毎に電解水洗浄の操作を１回行うことができる。
【００３７】
また、上記電解手段１２０を用いて酸性電解水とアルカリ性電解水とを電解生成する場合には、まず上記電解手段１２０内に通水してから上記電解手段１２０を通電して起動する必要がある。
【００３８】
上記電解水小便器１００の電解水洗浄プロセスには、別個に行われる酸洗浄工程と、アルカリ洗浄工程とが含まれている。
【００３９】
酸洗浄工程では、上記電解水小便器１００を作動するように起動して、上記第１の制御弁１４０が開き、上記酸性電解水が上記貯水手段１３０の第１の貯留タンク１３１から上記小便器本体１１０のボウル給水口１１１に入り、上記複数の吐水穴１１２を通じて上記小便器本体１１０の内壁に均一に噴射されて、上から下まで酸洗浄操作が実施される。この際、上記アルカリ性電解水は上記貯水手段１３０の第２の貯留タンク１３２に貯留されたままである。
【００４０】
上記酸性電解水洗浄が終わると、上記アルカリ洗浄工程が行われる。上記第１の制御弁１４０が閉じ、上記第２の制御弁１５０が開き、上記アルカリ性電解水が上記貯水手段１３０の第２の貯留タンク１３２から上記小便器本体１１０のボウル給水口１１１に入り、上記複数の吐水穴１１２を通じて上記小便器本体１１０の内壁に均一に噴射されて、上から下までアルカリ洗浄操作が実施される。これにより、上記小便器本体１１０の電解水洗浄プロセスが１回完了する。
【００４１】
つまり、上記電解手段１２０により生成された酸性電解水と、アルカリ性電解水とは、上記小便器本体１１０のボウル給水口１１１を通じて上記小便器本体１１０の内壁にそれぞれ別個に交互に噴射されることによって、上記電解水小便器１００の洗浄操作が完了する。
【００４２】
当然ながら、本実施形態に限定されるものではなく、代替可能な他の実施形態では、上記電解水小便器１００の洗浄プロセスは、先に上記アルカリ洗浄工程を行ってから上記酸洗浄工程を行ってもよい。具体的なプロセスは上述した電解水洗浄プロセスと類似しており、ここでは説明を省略する。
【００４３】
任意選択により、上記電解水小便器１００は、上記電解手段１２０を制御して電極の切換えを行う電解水制御手段（図示しない）を更に備えていてもよい。なお、上記電解水制御手段は、制御回路、制御チップ又は書き込み可能なワンチップマイクロコンピューター等のハードウェアの制御手段であってもよく、ソフトウェアの制御手段であってもよく、本発明はこれに限定されるものではない。
【００４４】
上記電解水制御手段が上記電解手段１２０を制御して電極の切換えを行うと、上記電解手段１２０では、上記第１の出水口１２１は上記アルカリ性電解水の排水に用いられ、上記第２の出水口１２２は上記酸性電解水の排水に用いられる。これに応じて、上記貯水手段１３０の第１の貯留タンク１３１は上記第１の出水口１２１から排水されたアルカリ性電解水の貯留に用いられ、上記第２の貯留タンク１３２は上記第２の出水口１２２から排水された酸性電解水の貯留に用いられる。
【００４５】
実施形態２
図３及び図４に示すように、図３は本発明の実施形態２に係る電解水小便器の構造を示す模式図であり、図４は図３の電解水小便器の第１の貯水手段及び第２の貯水手段の構造を示す模式図である。上記電解水小便器２００は、小便器本体２１０と、電解手段２２０と、第１の貯水手段２３０と、第２の貯水手段２４０と、第１の制御弁２５０と、第２の制御弁２６０と、導管２７０とを備えている。上記第１の制御弁２５０と、上記第２の制御弁２６０とは電磁弁であることが好ましい。任意選択により、上記導管２７０はプラスチック導管であってもよく、金属製の導管であってもよく、本発明はこれに限定されるものではない。
【００４６】
上記小便器本体２１０は、上記小便器本体の上部に設けられたボウル給水口２１１を有している。さらに、上記小便器本体２１０には上記ボウル給水口２１１に接続するノズル（明示しない）が更に設けられていてもよく、上記ノズルは上記小便器本体２１０の上部内側に設けられると共に、上記小便器本体２１０の内部に開口している。
【００４７】
上記電解手段２２０は、同量の酸性電解水と、アルカリ性電解水とを同時に生成するものであり、上記酸性電解水を排出する第１の出水口２２１と、上記アルカリ性電解水を排出する第２の出水口２２２とを有している。
【００４８】
上記第１の貯水手段２３０と、上記第２の貯水手段２４０とはいずれも、貯水タンクであり、それぞれ上記酸性電解水と、上記アルカリ性電解水とを貯留するのに用いられる。
【００４９】
なお、上記第１の貯水手段２３０の入水口は上記導管２７０を通じて上記電解手段２２０の第１の出水口２２１に接続され、上記第１の貯水手段２３０の出水口と、上記第１の制御弁２５０と、上記小便器本体２１０のボウル給水口２１１とは上記導管２７０を通じてこの順に接続されている。
【００５０】
上記第２の貯水手段２４０の入水口は上記導管２７０を通じて上記電解手段２２０の第２の出水口２２２に接続され、上記第２の貯水手段２４０の出水口と、上記第２の制御弁２６０と、上記小便器本体２１０のボウル給水口２１１とは上記導管２７０を通じてこの順に接続されている。
【００５１】
本実施形態では、上記第１の貯水手段２３０と、上記第２の貯水手段２４０とはいずれも、給排水口が設けられた貯水タンク本体２０１と、ばね２０２と、押し板２０３とを有している。上記ばね２０２と、上記押し板２０３とはいずれも、上記貯水タンク本体２０１内に設けられており、上記ばね２０２は上記押し板２０３と上記貯水タンク本体２０１の内壁との間に固定されると共に、上記給排水口とは離反して設けられている。
【００５２】
図５、図６及び図７に示すように、上記第２の貯水手段２４０又は上記第１の貯水手段２３０が給水される場合には、上記アルカリ性電解水又は上記酸性電解水は上記貯水タンク本体２０１に入ると共に上記押し板２０３を押し動かして上記ばね２０２を圧縮させ、これによって、上記第１の貯水手段２３０又は上記第２の貯水手段２４０の圧力蓄積機能及び貯水機能が果たされる。
【００５３】
上記第２の貯水手段２４０又は上記第１の貯水手段２３０が排水する場合には、圧縮された上記ばね２０２は上記押し板２０３を押し動かして移動させ、上記押し板２０３は上記貯水タンク本体２０１のアルカリ性電解水又は酸性電解水を加圧条件下で排出して排水を実施する。
【００５４】
上記電解水小便器２００が使用者に正常に使用された際に、上記電解水小便器２００の電解手段２２０は、起動はせず、上記電解水小便器２００に対して通常の水道水で中性水洗浄を行う。
【００５５】
上記電解水小便器２００が使用者に使用されていない場合に、上記電解水小便器２００は上記電解手段２２０を自動的に起動し酸性電解水とアルカリ性電解水とを生成して、上記電解水小便器２００に対して電解水洗浄を行う。さらに、上記電解水小便器２００は、設定時間毎に電解水洗浄の操作を１回行うように選択されており、例えば、上記電解水小便器２００は、６時間、１２時間、２４時間等の時間毎に電解水洗浄の操作を１回行うことができる。
【００５６】
また、上記電解手段２２０を用いて酸性電解水とアルカリ性電解水とを電解生成する場合には、まず上記電解手段２２０内に通水してから上記電解手段２２０を通電して起動する必要がある。
【００５７】
上記電解水小便器２００の電解水洗浄プロセスには、別個に行われる酸洗浄工程と、アルカリ洗浄工程とが含まれている。
【００５８】
酸洗浄工程では、上記電解水小便器２００の電解手段２２０を作動するように起動して、上記第１の制御弁２５０が開き、上記酸性電解水が上記第１の貯水手段２３０から上記小便器本体２１０のボウル給水口２１１に入り、上記ノズルを通じて上記小便器本体２１０の内壁に均一に噴射されて、上から下まで酸洗浄操作が実施される。この際、上記アルカリ性電解水は上記第２の貯水手段２４０に貯留されたままである。
【００５９】
上記酸洗浄工程が終わると、上記アルカリ洗浄工程が行われる。上記第１の制御弁２５０が閉じ、上記第２の制御弁２６０が開き、上記アルカリ性電解水が上記第２の貯水手段２４０から上記小便器本体２１０のボウル給水口２１１に入り、上記ノズルを通じて上記小便器本体２１０の内壁に均一に噴射されて、上から下までアルカリ洗浄操作が実施される。これにより、上記小便器本体２１０の電解水洗浄プロセスが１回完了する。
【００６０】
なお、上記酸性電解水又は上記アルカリ性電解水がそれぞれ上記第１の貯水手段２３０と上記第２の貯水手段２４０とから排出される場合には、上記ばね２０２と上記押し板２０３との共同作用により、上記酸性電解水又は上記アルカリ性電解水が上記ノズル２１２から適切な初速度で吐出されることによって、洗浄の目的が達成される。
【００６１】
つまり、本実施形態に係る電解水小便器２００では、上記電解手段２２０により生成された酸性電解水と、アルカリ性電解水とは、上記小便器本体２１０のボウル給水口２１１を通じて上記小便器本体２１０の内壁にそれぞれ別個に交互に噴射されることによって、上記電解水小便器２００の洗浄操作が完了する。
【００６２】
当然ながら、本実施形態に限定されるものではなく、代替可能な他の実施形態では、上記電解水小便器２００の洗浄プロセスは、先に上記アルカリ洗浄工程を行ってから上記酸洗浄工程を行ってもよい。具体的なプロセスは上述した電解水洗浄プロセスと類似しており、ここでは説明を省略する。
【００６３】
任意選択により、上記電解水小便器２００は、上記電解手段２２０を制御して電極の切換えを行う電解水制御手段（図示しない）を更に備えていてもよい。なお、上記電解水制御手段は、制御回路、制御チップ又は書き込み可能なワンチップマイクロコンピューター等のハードウェアの制御手段であってもよく、ソフトウェアの制御手段であってもよく、本発明はこれに限定されるものではない。
【００６４】
上記電解水制御手段が上記電解手段２２０を制御して電極の切換えを行うと、上記電解手段２２０では、上記第１の出水口２２１は上記アルカリ性電解水の排出に用いられ、上記第２の出水口２２２は上記酸性電解水の排出に用いられる。これに応じて、上記第１の貯水手段２３０は上記第１の出水口２２１から排出されたアルカリ性電解水の貯留に用いられ、上記第２の貯水手段２４０は上記第２の出水口２２２から排出された酸性電解水の貯留に用いられる。
【００６５】
実施形態３
図８及び図９に示すように、上記電解水小便器３００は、小便器本体３１０と、ノズル３２０と、電解手段３３０と、電解水制御手段３４０とを備えている。本実施形態では、上記電解水制御手段３４０は、上記電解手段３３０を制御して電極の切換えを行う。任意選択により、上記電解水制御手段３４０は、制御回路、制御チップ又は書き込み可能なワンチップマイクロコンピューター等のハードウェアの制御手段であってもよく、ソフトウェアの制御手段であってもよく、本発明はこれに限定されるものではない。
【００６６】
上記小便器本体３１０は、上記小便器本体の上部３１０に設けられたボウル給水口（図示しない）を有している。
【００６７】
図１０及び図１１に示すように、上記ノズル３２０は、上記小便器本体３１０のボウル給水口に設けられており、上記ボウル給水口に接続されている。上記ノズル３２０は、仕切板３２３が間に設けられた第１の吐出口３２１及び第２の吐出口３２２と、分流扇状部３２４とを有している。上記第１の吐出口３２１と、上記第２の吐出口３２２とは、上記仕切板３２３を介して隣接して設けられている。上記分流扇状部３２４は、上記第１の吐出口３２１と、上記第２の吐出口３２２とに設けられており、上記第１の吐出口３２１と、上記第２の吐出口３２２とから流れ出る液体を分散させるのに用いられる。
【００６８】
上記電解手段３３０は、酸性電解水と、アルカリ性電解水とを生成するものであり、第１の出水口３３１と、第２の出水口３３２とを有している。
【００６９】
上記ノズル３２０の第１の吐出口３２１が上記電解手段３３０の第１の出水口３３１に直接接続され、上記第２の吐出口３２２が上記電解手段３３０の第２の出水口３３２に直接接続されていることによって、上記電解手段３３０の第１の出水口３３１と、第２の出水口３３２とが上記小便器本体３１０のボウル給水口にそれぞれ接続するようになっており、さらには、上記小便器本体３１０の両側の内壁を洗浄するようになっている。
【００７０】
上記電解水小便器３００が使用者に正常に使用された際に、上記電解水小便器３００の電解手段３３０は、起動はせず、上記電解水小便器３００に対して通常の水道水で中性水洗浄を行う。
【００７１】
上記電解水小便器３００が使用者に使用されていない場合に、上記電解水小便器３００は上記電解手段３３０を自動的に起動し酸性電解水とアルカリ性電解水とを生成して、上記電解水小便器３００に対して電解水洗浄を行う。さらに、上記電解水小便器３００は、設定時間毎に電解水洗浄の操作を１回行うように選択されており、例えば、上記電解水小便器３００は、６時間、１２時間、２４時間等の時間毎に電解水洗浄の操作を１回行うことができる。
【００７２】
また、上記電解手段３３０を用いて酸性電解水とアルカリ性電解水とを電解生成する場合には、まず上記電解手段３３０内に通水してから上記電解手段３３０を通電して起動する必要がある。
【００７３】
上記電解水小便器３００の電解水洗浄プロセスには、別個に行われる第１の洗浄工程と、第２の洗浄工程とが含まれている。
【００７４】
上記小便器本体３１０の第１の洗浄工程では、上記電解水制御手段３４０が上記電解手段３３０の陰極と陽極とを制御して、上記電解手段３３０が上記第１の出水口３３１の対応領域では酸性電解水を生成し、上記第２の出水口３３２の対応領域ではアルカリ性電解水を生成する。また、上記電解手段３３０により生成された酸性電解水と、アルカリ性電解水とは、上記ノズル３２０の第１の吐出口３２１と、第２の吐出口３２２とから上記小便器本体３１０の両側の内壁へそれぞれ同時に吐出して、上記小便器本体３１０に対して上から下まで洗浄を行うと共に、上記小便器本体３１０の底部では酸とアルカリとの中和反応が起こり、中性水が生成される。これにより、上記小便器本体３１０の洗浄操作が実施される。
【００７５】
上記小便器本体３１０の第２の洗浄工程では、上記電解水制御手段３４０が上記電解手段３３０の陰極と陽極とを切り換えて、上記電解手段３３０が上記第１の出水口３３１の対応領域ではアルカリ性電解水を生成し、上記第２の出水口３３２の対応領域では酸性電解水を生成する。また、上記電解手段３３０により生成された酸性電解水と、アルカリ性電解水とは、上記ノズル３２０の第２の吐出口３２２と、第１の吐出口３２１とから上記小便器本体３１０の内壁へそれぞれ同時に吐出して、上記小便器本体３１０に対して上から下まで洗浄を行うと共に、上記小便器本体３１０の底部では酸とアルカリとの中和反応が生じ、中性水が生成される。これにより、上記小便器本体３１０の洗浄操作が実施される。
【００７６】
これにより、上記酸性電解水と上記アルカリ性電解水との交換洗浄操作が１回完了する。
【００７７】
本実施形態に係る電解水小便器３００によれば、上記酸性電解水と、上記アルカリ性電解水とを交換して上記小便器本体３１０を洗浄しているので、長期的な酸・アルカリ環境による上記ノズル３２０の腐食を防止して、機器の耐用期間を延ばすことができ、上記小便器本体３１０の内壁に残った尿石を十分に取り除くと共に殺菌消毒機能を果たすことができる。
【００７８】
当然ながら、本実施形態に限定されるものではなく、代替可能な他の実施形態では、上記電解水小便器３００の洗浄プロセスにおいて、上記電解水小便器３００は、先に上記第２の洗浄工程を行ってから上記第１の洗浄工程を行うことによって、上記酸性電解水と上記アルカリ性電解水との交換洗浄操作を１回完了するようにしてもよい。具体的なプロセスは上述した電解水洗浄プロセスと類似しており、ここでは説明を省略する。
【００７９】
実施形態４
図１２に示すように、図１２は本発明の実施形態４に係る電解水小便器の構造を示す模式図である。上記電解水小便器４００は、小便器本体４１０と、電解手段４２０と、貯水手段４３０と、制御弁４４０と、導管４５０とを備えている。上記制御弁４４０は電磁弁であることが好ましい。任意選択により、上記導管４５０はプラスチック導管であってもよく、金属製の導管であってもよく、本発明はこれに限定されるものではない。
【００８０】
上記小便器本体４１０は、上記小便器本体の上部に設けられたボウル給水口４１１を有している。さらに、上記小便器本体４１０には上記ボウル給水口４１１に接続するノズル（図示しない）が更に設けられており、上記ノズルは上記小便器本体４１０の上部内側に設けられると共に、上記小便器本体４１０の内部に開口している。
【００８１】
上記電解手段４２０は、酸性電解水と、アルカリ性電解水とを生成するものであり、上記酸性電解水を排出する第１の出水口４２１と、上記アルカリ性電解水を排出する第２の出水口４２２とを有している。
【００８２】
上記貯水手段４３０は、上記貯水手段４３０の上部にそれぞれ設けられた貯水入口４３１と、貯水出口４３２とを有している。
【００８３】
本実施形態では、上記貯水手段４３０の貯水入口４３１は上記導管４５０を通じて上記電解手段４２０の第２の出水口４２２に接続され、上記貯水出口４３２と、上記電解手段４２０の第１の出水口４２１とは並列に接続されて設けられており、共に上記導管４５０を通されて上記制御弁４４０と、上記小便器本体４１０のボウル給水口４１１とにこの順に接続している。
【００８４】
また、上記貯水手段４３０の内部には蛇行通路が形成され、すなわち、上記貯水入口４３１は上記蛇行通路を通じて上記貯水出口４３２に接続されている。本実施形態では、上記貯水手段４３０には少なくとも１つの仕切板（明示しない）が設けられており、少なくとも１つの上記仕切板は上記貯水手段４３０内部の貯水空間を仕切って、互いに連通した蛇行通路を形成している。
【００８５】
給水中に上記貯水手段４３０の蛇行通路の空気を排出することができるように確保するために、上記貯水手段４３０の貯水入口４３１は水平に設けられており、上記蛇行通路も水平に設けられている。すなわち、上記酸性電解水又は上記アルカリ性電解水は、上記貯水手段４３０に入る場合には、上記貯水入口４３１に水平に入ると共に、水平に設けられた上記蛇行通路内を下から上へ上記貯水出口４３２まで徐々に流動することによって、上記貯水手段４３０の蛇行通路の空気を排出する。
【００８６】
上記電解水小便器４００が正常に使用された際に、上記制御弁４４０を起動し、上記電解手段４２０は起動しないので、洗浄水が上記電解手段４２０をそのまま流れて、上記小便器本体４１０へそのまま流入し、上記小便器本体４１０に対して中性水洗浄を行う。
【００８７】
上記電解水小便器４００を電解水洗浄する場合には、上記電解水小便器４００の洗浄プロセスには、この順に行われる酸洗浄工程と、アルカリ洗浄工程と、中性水洗浄工程とが含まれている。
【００８８】
なお、小便器が使用者に使用されていない場合に、上記電解水小便器４００は上記電解手段４２０を起動して電解水洗浄を行う。さらに、上記電解水小便器４００は設定時間毎に電解水洗浄の操作を１回行うように選択されており、例えば、上記電解水小便器４００は、６時間、１２時間、２４時間等の時間毎に電解水洗浄の操作を１回行うことができる。
【００８９】
また、上記電解手段４２０を用いて酸性電解水とアルカリ性電解水とを電解生成する場合には、まず上記電解手段４２０内に通水してから上記電解手段４２０を通電して起動する必要がある。
【００９０】
上記酸洗浄工程では、上記制御弁４４０と、上記電解手段４２０とを起動し、上記電解手段４２０がこれに応じて同量の酸性電解水と、アルカリ性電解水とを生成し、上記酸性電解水は上記導管４５０を通じて上記小便器本体４１０のボウル給水口４１１にそのまま入り、上記ノズルを通じて上記小便器本体４１０に噴射され、上記小便器本体４１０の内壁を上から下まで洗浄して、酸洗浄工程が完了する。この際、上記アルカリ性電解水は上記貯水手段４３０の貯水入口４３１を通じて上記貯水手段４３０に貯留される。
【００９１】
上記アルカリ性電解水が上記貯水手段４３０に一定量貯留されると、上記電解手段４２０の電解操作がオフにされて停止し、上記アルカリ洗浄工程が行われる。
【００９２】
上記アルカリ洗浄工程では、上記電解手段４２０に中性の洗浄水が引き込まれ、上記洗浄水は上記貯水入口４３１から上記貯水手段４３０に入り、上記貯水手段４３０のアルカリ性電解水を押して上記貯水手段４３０の貯水出口４３２から上記小便器本体４１０のボウル給水口４１１に入れて、上記ノズルを通じて上記小便器本体４１０に吐水され、上記小便器本体４１０の内壁を上から下まで洗浄して、アルカリ洗浄工程が完了する。
【００９３】
上記アルカリ性電解水の排出が終わると、上記中性水洗浄工程が行われる。
【００９４】
上記中性水洗浄工程では、上記洗浄水は上記貯水手段４３０の貯水出口４３２から上記小便器本体４１０のボウル給水口４１１に入り、上記ノズルを通じて上記小便器本体４１０に吐水され、上記小便器本体４１０の内壁を上から下まで洗浄して、中性水洗浄工程が完了する。
【００９５】
これにより、上記電解水小便器４００の洗浄操作が１回完了する。
【００９６】
当然ながら、本実施形態に限定されるものではなく、代替可能な他の実施形態では、上記電解水小便器４００の洗浄プロセスにおいて、上記電解水小便器４００は先に上記アルカリ洗浄工程を行ってから上記酸洗浄工程を行い、最後に上記中性水洗浄工程を行うことによって、上記酸性電解水と上記アルカリ性電解水との交換洗浄操作を１回完了するようにしてもよい。上記アルカリ洗浄工程を行う際には、上記酸性電解水は上記貯水手段４３０に貯留される。
【００９７】
任意選択により、上記電解水小便器４００は、上記電解手段４２０を制御して電極の切換えを行う電解水制御手段（図示しない）を更に備えていてもよい。なお、上記電解水制御手段は、制御回路、制御チップ又は書き込み可能なワンチップマイクロコンピューター等のハードウェアの制御手段であってもよく、ソフトウェアの制御手段であってもよく、本発明はこれに限定されるものではない。
【００９８】
上記電解水制御手段が上記電解手段４２０を制御して電極の切換えを行うと、上記電解手段４２０では、上記第１の出水口４２１は上記アルカリ性電解水の排出に用いられ、上記第２の出水口４２２は上記酸性電解水の排出に用いられる。これに応じて、上記第１の出水口４２１から排出されたアルカリ性電解水は上記小便器本体４１０にそのまま流入し、上記貯水手段４３０は上記第２の出水口４２２から排出された酸性電解水を貯留するのに用いられる。
【産業上の利用可能性】
【００９９】
従来技術に比べて、本発明により提供される電解水小便器の有益な効果は以下の通りである。
【０１００】
１、電解水小便器によれば、電解手段により生成された酸性電解水とアルカリ性電解水がそれぞれ別個に小便器本体を洗浄すると共に、小便器本体の底部で合流し、中和反応が生じて中性水が生成されており、洗浄プロセスでは、上記酸性電解水は尿石と直接化学反応を起こすことができ、しかも、その殺菌消毒機能が維持され、それによって、上記電解水小便器の殺菌、消毒、消臭及び尿石除去の機能を向上させることができ、また、上記酸性電解水と上記アルカリ性電解水とを共に使用した洗浄は節水の目的も果たすことができる。
【０１０１】
２、電解水小便器によれば、上記酸性電解水と上記アルカリ性電解水とが交互に上記小便器本体を洗浄すると共に、上記小便器本体の底部で中和反応が生じて中性水となることによって、上記酸性電解水と上記アルカリ性電解水とが同時に吐水された場合に両者が接して中和反応が生じ殺菌消毒機能が失われることを回避しており、それによって、上記電解水小便器の殺菌、消毒、消臭及び尿石除去の機能を向上させている。
【０１０２】
３、電解水小便器によれば、上記第２の貯水手段及び上記第１の貯水手段の内部のいずれにもばねが設けられており、ばねの伸縮によって圧力蓄積機能及び貯水機能が果たされている。また、上記酸性電解水と上記アルカリ性電解水とを加圧条件下で排出させて、上記小便器本体の内壁に適切な速度で噴射するタイプの洗浄水流を形成することもでき、洗い流す効果が良くなるだけでなく、節水機能もある。また、上記酸性電解水と上記アルカリ性電解水とが交互に上記小便器本体を洗浄しており、上記酸性電解水と上記アルカリ性電解水とが同時に吐水された場合に両者が接して中和反応が生じ殺菌消毒機能が失われることを回避することもでき、それによって、上記電解水小便器の殺菌、消毒、消臭及び尿石除去の機能を向上させている。
【０１０３】
４、電解水小便器によれば、上記酸性電解水と上記アルカリ性電解水とは上記ノズルの第１の吐出口と第２の吐出口とを通じてそれぞれ上記小便器本体の両側の内壁を洗浄しており、上記酸性電解水と上記アルカリ性電解水とが接して中和反応が生じ殺菌消毒機能が失われることを回避することもでき、それによって、上記電解水小便器の殺菌、消毒、消臭及び尿石除去の機能を向上させている。さらに、上記電解水制御手段が上記電解手段を制御して陰極と陽極との切換えを行うことによって、上記酸性電解水と上記アルカリ性電解水との交換洗浄操作を実施しており、上記電解槽の電極の耐用期間を向上させることができるだけでなく、小便器をより良く洗浄することもできる。
【０１０４】
５、電解水小便器によれば、上記電解水小便器の洗浄プロセスには、別個に且つこの順に行われる酸洗浄工程と、アルカリ洗浄工程と、中性水洗浄工程とが含まれている。したがって、上記酸性電解水と上記アルカリ性電解水とが交互に上記小便器本体を洗浄すると共に、上記小便器本体の底部で中和反応が生じて中性水となることによって、上記酸性電解水と上記アルカリ性電解水とが同時に吐水された場合に両者が接して中和反応が生じ殺菌消毒機能が失われることを回避しており、それによって、上記電解水小便器の殺菌、消毒、消臭及び尿石除去の機能を向上させている。
【０１０５】
上述した説明では本発明の好ましい実施形態が示されており、上述したように、本発明は本文に開示された形態に限定されるものではないと理解すべきであり、他の実施形態に対する除外とみなすべきでなく、種々の他の組合せ、変更及び環境に適用することができ、上述した教示又は関連分野の技術若しくは知識によって本文に記載の発明の構想の範囲で変更を行うことができる。当業者による変更及び変形は本発明の精神及び範囲を逸脱しない限り、本発明に添付の請求の範囲に含まれるものとする。
【図１】
2018096195.tif 000003
【図２】
2018096195.tif 000004
【図３】
2018096195.tif 000005
【図４】
2018096195.tif 000006
【図５】
2018096195.tif 000007
【図６】
2018096195.tif 000008
【図７】
2018096195.tif 000009
【図８】
2018096195.tif 000010
【図９】
2018096195.tif 000011
【図１０】
2018096195.tif 000012
【図１１】
2018096195.tif 000013
【図１２】
2018096195.tif 000014